(57)【要約】      （修正有）【課題】ネットワークケーブルコネクタを交換可能なアダプタセットの提供。【解決手段】二端がネットワークケーブルコネクタ（ＲＪ４５，８Ｐ８Ｃ）とされ且つ４ペアツイストペア線を具えたネットワークケーブルであって、ネットワークケーブルプラグ５０への各種のアダプタ６０ａの交換接続により、コンピュータと周辺設備或いはコンピュータとコンピュータの間の接続のいずれにも該４ペアツイストペア線を具えたネットワークケーブルを使用できるようにし、これにより共用、通用の作用と効果を達成する。【選択図】図１１
0003113283.tif 000002
【実用新案登録請求の範囲】
【請求項１】
共用、通用可能なケーブル及び少なくとも一組の交換可能なアダプタを包含し、該ケーブルは付属のケーブルリールを具え且つ二端にＲＪ４５、８Ｐ８Ｃ規格のネットワークケーブルプラグを具えたネットワークケーブルとされ、該アダプタは後部にＲＪ４５ソケットを具え、前部にコンピュータ周辺設備接続用プラグを具え、内部にネットワークケーブルソケットをコンピュータ周辺設備接続用プラグに変換するアダプタ構造が配置され、該ネットワークケーブルの二端のネットワークケーブルプラグにそれぞれアダプタが取り付けられることにより、ネットワークケーブルがコンピュータ周辺設備接続用のケーブルを構成することを特徴とする、ネットワークケーブルコネクタを交換可能なアダプタセット。
【請求項２】
請求項１記載のネットワークケーブルコネクタを交換可能なアダプタセットにおいて、アダプタの前部のコンピュータ周辺設備接続用プラグが、ＵＳＢプラグ、ＩＥＥＥ１３９４ａプラグ、ＩＥＥＥ１３９４ｂプラグ、携帯電話充電プラグ、マイクロホンプラグ、イヤホンの各種インタフェース接続プラグ或いは末端装置とされることを特徴とする、ネットワークケーブルコネクタを交換可能なアダプタセット。
【請求項３】
請求項１記載のネットワークケーブルコネクタを交換可能なアダプタセットにおいて、ネットワークケーブルがＣａｔ５  １ギガビットケーブルとされたことを特徴とする、ネットワークケーブルコネクタを交換可能なアダプタセット。
【考案の詳細な説明】
【技術分野】
【０００１】
本考案は一種のネットワークケーブルコネクタを交換可能なアダプタセットに係り、特に、二端がネットワークケーブルコネクタ（ＲＪ４５，８Ｐ８Ｃ）とされ且つ４ペアツイストペア線を具えたネットワークケーブルであって、各種のアダプタの交換接続により、コンピュータと周辺設備或いはコンピュータとコンピュータの間の接続のいずれにも該４ペアツイストペア線を具えたネットワークケーブルを使用できるようにし、これにより共用、通用の作用と効果を達成するアダプタセットに関する。
【背景技術】
【０００２】
図１〜図３は付属のケーブルリールを具えた周知のＵＳＢケーブル、付属のケーブルリールを具えた周知のＩＥＥＥ１３９４ケーブル、及び付属のケーブルリールを具えた周知のネットワークケーブル表示図である。図示されるように、付属のケーブルリール１０は適当な長さのケーブル３１、３２の提供、或いはネットワークケーブル３０の延長と巻回に用いられ、コンピュータと周辺設備或いはコンピュータとコンピュータの間の連結回路を整理して各種の連結線に混乱と絡まりを発生させない。前述のケーブルリール１０は二端にＵＳＢプラグ２０を具えたケーブル３１、二端にＩＥＥＥ１３９４プラグ４０を具えたケーブル３２、或いは二端にネットワークケーブルプラグ５０（ＲＪ４５，８Ｐ８Ｃ）を具えたケーブル３０に応用可能である。これらケーブル３１、３２或いはネットワークケーブル３０は、コンピュータと周辺設備、或いはコンピュータとコンピュータの間の接続に使用する時、以下のような欠点がある。
一．ＵＳＢプラグ２０を具えたケーブル３１は内部に一対の導線と二つの接点（１Ｐ＋２Ｃ）を具えた構造とされ、ＩＥＥＥ１３９４プラグ４０のケーブル３２は、内部に２対の導線と二つの接点（２Ｐ＋２Ｃ）を具えた構造とされ、ネットワークケーブル３０は４ペアツイストペア線（４Ｐ）を具えた構造とされ、導線構造、接続方式の違いから、共用できない欠点がある。
二．コンピュータと周辺設備或いはコンピュータとコンピュータの間の接続に対して、設備の違いにより異なるケーブルを使用するが、多くの異なる構造、規格のケーブルが接続、配置されて、修理交換時に専用のケーブルを使用しなければならず、通用性を具備しない欠点がある。
【考案の開示】
【考案が解決しようとする課題】
【０００３】
本考案の主要な目的は、ケーブルに共用の作用と効果を具備させ、専用ケーブルの共用不能である欠点を有効に解決することにある。
【０００４】
本考案の次の目的は、各種アダプタの交換接続により、ケーブルに通用性を持たせ、修理、交換の便利性を高めることにある。
【０００５】
上述の目的を達成するため、本考案のネットワークケーブルコネクタを交換可能なアダプタセットは、二端がネットワークケーブルコネクタ（ＲＪ４５，８Ｐ８Ｃ）とされ且つ４ペアツイストペア線を具えたネットワークケーブルであって、各種のアダプタの交換接続により、コンピュータと周辺設備或いはコンピュータとコンピュータの間の接続のいずれにも該４ペアツイストペア線を具えたネットワークケーブルを使用できるようにし、これにより共用、通用の作用と効果を達成する。
【課題を解決するための手段】
【０００６】
請求項１の考案は、共用、通用可能なケーブル及び少なくとも一組の交換可能なアダプタを包含し、該ケーブルは付属のケーブルリールを具え且つ二端にＲＪ４５、８Ｐ８Ｃ規格のネットワークケーブルプラグを具えたネットワークケーブルとされ、該アダプタは後部にＲＪ４５ソケットを具え、前部にコンピュータ周辺設備接続用プラグを具え、内部にネットワークケーブルソケットをコンピュータ周辺設備接続用プラグに変換するアダプタ構造が配置され、該ネットワークケーブルの二端のネットワークケーブルプラグにそれぞれアダプタが取り付けられることにより、ネットワークケーブルがコンピュータ周辺設備接続用のケーブルを構成することを特徴とする、ネットワークケーブルコネクタを交換可能なアダプタセットとしている。
請求項２の考案は、請求項１記載のネットワークケーブルコネクタを交換可能なアダプタセットにおいて、アダプタの前部のコンピュータ周辺設備接続用プラグが、ＵＳＢプラグ、ＩＥＥＥ１３９４ａプラグ、ＩＥＥＥ１３９４ｂプラグ、携帯電話充電プラグ、マイクロホンプラグ、イヤホンの各種インタフェース接続プラグ或いは末端装置とされることを特徴とする、ネットワークケーブルコネクタを交換可能なアダプタセットとしている。
請求項３の考案は、請求項１記載のネットワークケーブルコネクタを交換可能なアダプタセットにおいて、ネットワークケーブルがＣａｔ５  １ギガビットケーブルとされたことを特徴とする、ネットワークケーブルコネクタを交換可能なアダプタセットとしている。
【考案の効果】
【０００７】
本考案は、異なる規格、特性及びアダプタ構造のアダプタにより、コンピュータと周辺設備或いはコンピュータとコンピュータの間の接続に、Ｃａｔ５、Ｃｔ５Ｅ、或いはＣａｔ６の１ギガビット規格共用のネットワークケーブル３０を使用でき、これにより共用、通用の作用と効果を達成できる。ゆえに本考案は実用性と産業上の利用価値を有し、実用新案登録の要件を具えている。
【考案を実施するための最良の形態】
【０００８】
前述の付属のケーブルリール１０を具え且つ二端にネットワークケーブルコネク５０を具えたネットワークケーブル３０（図３）が本考案の共用、通用のケーブルとされる。本考案のネットワークケーブル３０には、Ｃａｔ５、Ｃｔ５Ｅ、或いはＣａｔ６の１ギガビット規格のケーブルが採用され、該ネットワークケーブルコネクタ５０はＲＪ４５，８Ｐ８Ｃ（８溝８接点）の規格とされる。該ネットワークケーブルコネクタ５０の内部は４ペアツイストペア線構造とされ、雑音或いはクロストークを減らし、且つ伝送速度は１ギガビット規格と特性を達成する。
【０００９】
図４、５はそれぞれ本考案のアダプタセットのアダプタ（一）の背面図及び正面図である。図示されるように、アダプタ６０ａは後部にネットワークケーブルソケット６１（ＲＪ４５ソケット）を具え、前部にＵＳＢコンピュータ周辺設備との接続に使用されるＵＳＢプラグ６２を具え、内部にネットワークケーブルソケット６１をコンピュータ周辺設備用ＵＳＢプラグ６２に変換するアダプタ構造が配置されている。
【００１０】
ＵＳＢケーブルは一対の導線（１Ｐ）及び二つの接点（２Ｃ）の構造を使用し、データ伝送と電源接続に供され、ゆえに、ネットワークケーブル３０内部の４ペアツイストペア線を利用して達成できる。本考案の共用、通用のケーブル、即ち、前述の付属のケーブルリール１０を具え且つ二端にネットワークケーブルプラグ５０（ＲＪ４５，８Ｐ８Ｃ）を具えたネットワークケーブル３０の二端にそれぞれアダプタ６０ａが取り付けられる時、ＵＳＢ２．０規格のＵＳＢケーブルを構成し、これにより該ネットワークケーブル３０はＣａｔ６  １ギガビット規格を採用し、ゆえに伝送速度は４８０Ｍ／秒に達する。
【００１１】
図６は本考案のアダプタセットのアダプタ（二）の背面図である。図示されるように、該アダプタ６０ｂは後部にネットワークケーブルソケット６１（ＲＪ４５ソケット）を具え、前部にＩＥＥＥ１３９４ａプラグ６３（ＩＥＥＥ１３９４ａ）を具え、内部にネットワークケーブルソケット６１をＩＥＥＥ１３９４ａプラグ６３に変換するアダプタ構造が設けられている。
【００１２】
ＩＥＥＥ１３９４ａケーブルは２対の導線（２Ｐ）と二つの接点（２Ｃ）構造を使用し、データ伝送と電源の接続に供され、ゆえに、ネットワークケーブル３０内部の４ペアツイストペア線を利用して達成できる。本考案の共用、通用のケーブル、即ち、前述の付属のケーブルリール１０を具え且つ二端にネットワークケーブルプラグ５０（ＲＪ４５，８Ｐ８Ｃ）を具えたネットワークケーブル３０の二端にそれぞれアダプタ６０ｂが取り付けられる時、ＩＥＥＥ１３９４ａ規格のケーブルが構成され、このケーブル３０は、Ｃａｔ６  １ギガビット規格を採用し、ゆえに伝送速度は４００Ｍ／秒に達する。
【００１３】
図７は本考案のアダプタセットのアダプタ（三）の背面図である。図示されるように、該アダプタ６０ｃは後部にネットワークケーブルソケット６１（ＲＪ４５ソケット）を具え、前部にＩＥＥＥ１３９４ｂプラグ（ＩＥＥＥ１３９４ｂ）を具え、内部にネットワークケーブルソケット６１をＩＥＥＥ１３９４ｂプラグ４０に変換するためのアダプタ構造が設けられている。
【００１４】
ＩＥＥＥ１３９４ｂケーブルも２対の導線（２Ｐ）と二つの接点（２Ｃ）構造を使用し、データ伝送と電源の接続に供され、ゆえに、ネットワークケーブル３０内部の４ペアツイストペア線を利用して達成できる。本考案の共用、通用のケーブル、即ち、前述の付属のケーブルリール１０を具え且つ二端にネットワークケーブルプラグ５０（ＲＪ４５，８Ｐ８Ｃ）を具えたネットワークケーブル３０の二端にそれぞれアダプタ６０ｃが取り付けられる時、ＩＥＥＥ１３９４ｂ規格のケーブルが構成され、このケーブル３０は、Ｃａｔ６  ギガビット規格を採用し、ゆえに伝送速度は８００Ｍ／秒に達する。
【００１５】
図８から図１０を参照されたい。該アダプタ６０ｄ、６０ｅ、６０ｆの後部にはネットワークケーブルソケット６１（ＲＪ４５ソケット）が設けられ、前部には携帯電話充電プラグ６５、マイクロホンプラグ６６或いはイヤホン６７が設けられ、内部にはそれぞれに対応するアダプタ構造が設けられている。ネットワークケーブル３０の二端のネットワークケーブルプラグ５０（ＲＪ４５，８Ｐ８Ｃ）にアダプタ６０ｄ、６０ｅ、６０ｆが取り付けられる時、ネットワークケーブル３０を具えた携帯電話充電プラグ、マイクロホンプラグ或いはイヤホン、或いはその他の応用可能なコンピュータ周辺設備の各種インタフェース接続プラグ或いは末端装置が構成される。
【図面の簡単な説明】
【００１６】
【図１】付属のケーブルリールを具えた周知のＵＳＢケーブル表示図である。
【図２】付属のケーブルリールを具えた周知のＩＥＥＥ１３９４ケーブル表示図である。
【図３】付属のケーブルリールを具えた周知のネットワークケーブル表示図である。
【図４】本考案のアダプタセットのアダプタ（一）の背面図である。
【図５】本考案のアダプタセットのアダプタ（一）の正面図である。
【図６】本考案のアダプタセットのアダプタ（二）の背面図である。
【図７】本考案のアダプタセットのアダプタ（三）の背面図である。
【図８】本考案のアダプタセットのアダプタ（四）の背面図である。
【図９】本考案のアダプタセットのアダプタ（五）の背面図である。
【図１０】本考案のアダプタセットのアダプタ（六）の背面図である。
【図１１】本考案のアダプタセットの実施例表示図である。
【符号の説明】
【００１７】
１０  ケーブルリール          ２０  ＵＳＢプラグ
３０  ネットワークケーブル    ３１  ケーブル
３２  ケーブル                ４０  ＩＥＥＥ１３９４プラグ
５０  ネットワークケーブルプラグ
６０ａ、６０ｂ、６０ｃ、６０ｄ、６０ｅ、６０ｆ  アダプタ
６１  ネットワークケーブルソケット
６２  ＵＳＢプラグ            ６３  ＩＥＥＥ１３９４ａプラグ
６４  ＩＥＥＥ１３９４ｂプラグ
６５  携帯電話充電プラグ      ６６  マイクロホンプラグ
６７  イヤホン
【図１】
0003113283.tif 000003
【図２】
0003113283.tif 000004
【図３】
0003113283.tif 000005
【図４】
0003113283.tif 000006
【図５】
0003113283.tif 000007
【図６】
0003113283.tif 000008
【図７】
0003113283.tif 000009
【図８】
0003113283.tif 000010
【図９】
0003113283.tif 000011
【図１０】
0003113283.tif 000012
【図１１】
0003113283.tif 000013